(57)【要約】【課題】  複数パスがある場合の通常印刷の画像形成とCD-Rなどを排紙側から挿入して行う画像形成を可能にする。【解決手段】  被記録材の副走査を行うための搬送ローラと、該搬送ローラ上流側に設けられた複数の給紙経路と、該複数の給紙経路を切り替えるための給紙経路切り替え手段と、該搬送ローラ下流側から搬送を行う特殊被記録材専用経路とが設けられ、前記給紙経路切り替え手段の幅方向の形状に一部切り欠き形状を設けた。【選択図】  図１
2006110938.tif 000002
【特許請求の範囲】
【請求項１】
被記録材の副走査を行うための搬送ローラと、該搬送ローラ上流側に設けられた複数の給紙経路と、該複数の給紙経路を切り替えるための給紙経路切り替え手段と、該搬送ローラ下流側から搬送を行う特殊被記録材専用経路とが設けられ、前記給紙経路切り替え手段の幅方向の形状に一部切り欠き形状を設けたことを特徴とする記録装置。
【請求項２】
被記録材の副走査を行うための搬送ローラと、該搬送ローラ上流側に設けられた複数の給紙経路と、該複数の給紙経路を切り替えるための給紙経路切り替え手段と、該搬送ローラ下流側から搬送を行う特殊被記録材専用経路とが設けられ、前記給紙経路切り替え手段には回転支持部と、回転支持部から上流および下流方向に延伸した経路形成部分とが設けられ、前記複数の給紙経路を使用するときと前記特殊被記録材専用経路を使用するときで前記上流および下流方向の経路形成部分が搬送方向で反転することを特徴とした記録装置。
【請求項３】
前記特殊被記録材は情報機器の情報データ記録メディアであることを特徴とする請求項１または請求項２に記載の記録装置。
【請求項４】
前記給紙経路切り替え手段の前記一部切り欠き形状は、前記複数の少なくとも一つの給紙経路から給装可能な被記録材の幅よりも小さいことを特徴とした請求項１に記載の記録装置。
【発明の詳細な説明】
【技術分野】
【０００１】
本発明はパソコンなどの出力装置であるところの記録装置についての発明であり、その中でも特にインクジェット方式の記録装置に関する。
【背景技術】
【０００２】
従来記録装置はその被記録材として紙が一般的であったが、最近では厚紙、CD-Rなど様々な被記録材が用いられることが多くなっている。
【０００３】
そうした多岐にわたる被記録材を給紙する為に記録装置本体においても被記録材の種類に適した最適な給紙方法が設けられている場合が増えている。
【０００４】
図2に従来例の記録装置を示す。
【０００５】
図において１０１は記録ヘッド、１０２は被記録材の副走査方向の搬送を行うための搬送ローラ、１０３は被記録材を搬送ローラ１０２に圧接するためのピンチローラ、104は被記録材をガイドするための上ガイド、105はプラテン、106は給紙ローラ、107は給紙ローラに圧接して用紙を1枚ずつさばくための分離ローラ、１０８は中間ガイド、109は下ガイドである。
【０００６】
また図に示した給紙パスAは自動給紙機構によるパスであり、通常印刷の場合にはこの給紙口が用いられる。
【０００７】
給紙パスBは手差しパスであり、厚紙での印字や1枚のみの印字の再にこの給紙口が用いられる。
【０００８】
給紙パスCはCDR印刷のときの給紙口であり、排紙側からCDRトレイを差し込んで給紙、印字を行う。このようにＣＤ−ＲＯＭに記録を行うことのできる記録装置は例えば特許文献１に開示されている。
【特許文献１】特開２００４−０４２３９２号公報
【発明の開示】
【発明が解決しようとする課題】
【０００９】
しかしながら従来例では以下に示す問題が発生していた。
【００１０】
自動給紙機構による給紙パスAからの給紙時に、用紙後端が中間ガイド１０８のパス切り替え部１０８Aを通過する際にパスBの段差分だけ落ちる衝撃によって画像むらが発生したり、用紙と下ガイド109が当接する当接音が発生するといった問題が発生していた。
【００１１】
上記問題を解決しようとして中間ガイド１０８A部に切り替えフラッパなどを設ける例もあるが、その場合にはCDRパスCとの両立が困難であった。
【課題を解決するための手段】
【００１２】
かかる問題を解決するために本発明では、被記録材の副走査を行うための搬送ローラと、該搬送ローラ上流側に設けられた複数の給紙経路と、該複数の給紙経路を切り替えるための給紙経路切り替え手段と、該搬送ローラ下流側から搬送を行う特殊被記録材専用経路とが設けられ、前記給紙経路切り替え手段の幅方向の形状に一部切り欠き形状を設けたことによって上記問題を解決しようとするものである。
【発明の効果】
【００１３】
本発明によれば、被記録材の副走査を行うための搬送ローラと、該搬送ローラ上流側に設けられた複数の給紙経路と、該複数の給紙経路を切り替えるための給紙経路切り替え手段と、該搬送ローラ下流側から搬送を行う特殊被記録材専用経路とが設けられ、前記給紙経路切り替え手段の幅方向の形状に一部切り欠き形状を設けたことによって、複数パスがある場合の通常印刷の画像を確保すると共にCD-Rなど排紙側から挿入するパスも両立することができる。
【発明を実施するための最良の形態】
【００１４】
（実施形態１）
図1に本発明の特徴を最も良く表す記録装置の断面図を示す。
【００１５】
1は記録ヘッドで図示しないキャリッジによって主走査方向のスキャンが行われ、スキャンと同期して被記録材への吐出を行う。
【００１６】
2は搬送ローラで被記録材の副走査方向の搬送を行うための搬送ローラ、３は該搬送ローラ２に当接して被記録材を搬送ローラ3へ圧接するためのピンチローラ、４は上ガイド、5はプラテン、２００は第1の自動給装ユニット、６は自動給装ユニット２００内に設けられたピックアップローラ、16はピックアップローラ6に当節し、被記録材１１を1枚ずつ分離搬送するための分離ローラ、１１は自動給装ユニット２０内にセットされた被記録材、１５は自動給装ユニット20のベース兼紙ガイド、１０は本発明の特徴でもある切り替え部材であるところの切り替えフラッパ、９は下ガイド、３００は第2の自動給装ユニット、１４は給紙ローラ兼搬送ローラ、１７は給紙ローラ14に圧接して1枚ずつ被記録材を分離搬送するための分離ローラ、１３はリアガイド、３００は手差し口である。
【００１７】
図4に切り替えフラッパの詳細図を示す
図に示すように切り替えフラッパ１０は回転支点１０Aを中心に自重で回転可能であり、通常状態では図に示すように下ガイド９にあたってとまっている。
【００１８】
切り替えフラッパ１０の用紙幅方向での形状を図3に示す。
【００１９】
図に示すように、用紙基準から幅Hから幅Iまでの距離が切りかかれた形状になっている（１０ｂ、図4で点線の位置）。
【００２０】
この切りかかれた形状がちょうどCD-Rトレイの幅分となる。
【００２１】
また幅IはA4幅以下に設定されており、切り替えフラッパ１０はA4用紙に対しては両端を長い部分で保持できている（１０ｃ、１０ｄ）。
【００２２】
A4幅に対してきり欠き部分が非基準側によっているのはL版、はがきなど小サイズ紙用紙をフラッパ10の長い部分（１０ｃ）で保持したいためである。
【００２３】
次に本記録装置の動作について説明する。
【００２４】
第1の自動給装ユニット200内にセットされた被記録材１１はピックアップローラ6と分離ローラ16によって1枚ずつ分離され、搬送ローラ２とピンチローラ３のニップ部まで搬送される。
【００２５】
その後搬送ローラ対で搬送された被記録材は記録ヘッド1によって記録が行われる。
【００２６】
記録ヘッドの主走査印字と搬送ローラ対による副走査動作によって被記録材の記録が順次行われ、被記録材の後端が自動給装ユニットのベース15を抜ける際には切り替えフラッパ１０があるためにスムーズに後端が通過できる。
【００２７】
第2の自動給装ユニット３００にセットされた被記録材１２はピックアップローラ１４と17によって1枚ずつ分離搬送される。
【００２８】
その後通紙パスF、Eを通過して切り替えフラッパ部１０を通過するが、切り替えフラッパは自重で保持されているため、その自重にうちかって搬送される（図５）。
【００２９】
一方CDR印刷の場合には排紙側からCDRトレイを挿入し印字を行う。
【００３０】
図6にその状態を示す。この時には切り替えフラッパの１０ｂ部分の間をCDRトレイが通過することになるため切り替えフラッパの動作を行うことなくCDRトレイが搬送可能になる。
【００３１】
（実施形態２）
図7、図8に切り替えフラッパの第2の実施例を示す。
【００３２】
図に示すように切り替えフラッパ１８の回転支点１８Aを中心に１８B部と１８C部を設けており、図7に示す自重でつりあっている状態になるよう形状が決まっている。図においてGは切り替えフラッパ18の重心位置を示す。
【００３３】
また、下ガイド９には切り欠き形状９Aが設けられており、その切り欠き形状はちょうど切り替えフラッパの18B部が回転した際にそれを逃げる形状となっている。
【００３４】
図８に示すように18B部がリブ上に配置されており、その位置に対向するように下ガイドの切り欠き形状９Aが設けられている。
【００３５】
動作について説明する。
【００３６】
図９に自動給装装置２００から1枚ずつ繰り出された被記録材の後端が切り替えフラッパ18部を通過する様子を示す。
【００３７】
図に示すように切り替えフラッパ18を通過する際には被記録材の剛性によって若干切り替えフラッパ18が回転するが、被記録材の後端を保持可能となり、画像ムラその他の問題を解決することができる。
【００３８】
図１０に第２の自動給装装置３００から搬送された状態を示す。
【００３９】
図に示すように切り替えフラッパ18が矢印方向に回転してパスを形成する。
【００４０】
このときには被記録材12が抵抗としては切り替えフラッパ18の自重の抵抗のみなので非常に小さく画像などへの影響は発生しない。
【００４１】
図１１にCD-R印刷の状態を示す。
【００４２】
図に示すように排紙側から挿入されたCD-RまたはCD-Rトレイは図に示す左側から右側に搬送ローラによって搬送されることになる。
【００４３】
このとき切り替えフラッパ18はCD-Rトレイによって回転させられ、図に示す状態まで回転することになる。
【００４４】
切り替えフラッパ18のパス部18Bは下ガイド9Aの切り欠き形状を通過して図に示す状態まで回転可能となる。
【００４５】
搬送、印字が終了すると切り替えフラッパ18は重心Gの位置が図に示す状態にあるためまた元の状態に自重で復帰する。
【図面の簡単な説明】
【００４６】
【図１】本発明の特徴をもっともよく表す実施形態１の概略図
【図２】従来例
【図３】経路切り替え手段であるところの切り替えフラッパの詳細図
【図４】経路切り替え手段であるところの切り替えフラッパの詳細図
【図５】実施形態１の動作図
【図６】実施形態１の動作図
【図７】実施形態２の切り替えフラッパの詳細図
【図８】実施形態２の切り替えフラッパの詳細図
【図９】実施形態２の動作図
【図１０】実施形態２の動作図
【図１１】実施形態２の動作図
【符号の説明】
【００４７】
１  記録ヘッド
２  搬送ローラ
９  下ガイド
１０  切り替えフラッパ
１５  中間ガイド
２００  第１の自動給装装置
３００  第２の自動給装装置
【図１】
2006110938.tif 000003
【図２】
2006110938.tif 000004
【図３】
2006110938.tif 000005
【図４】
2006110938.tif 000006
【図５】
2006110938.tif 000007
【図６】
2006110938.tif 000008
【図７】
2006110938.tif 000009
【図８】
2006110938.tif 000010
【図９】
2006110938.tif 000011
【図１０】
2006110938.tif 000012
【図１１】
2006110938.tif 000013